(57)【要約】【課題】  再認証の際に通信モードが変更されないようにする。【解決手段】  無線で電子機器に電力を供給する給電装置であって、非接触にて電力の送信及び情報の送受信を行う通信部と、通信部を介して電子機器と最初に認証を行う場合、当該電子機器との間で通信が確立した際の通信モードを表す情報を保持する保持部と、通信部を介して電子機器との間で、２回目の認証を行う場合は、保持部に保持された情報に基づく通信モードで通信するように通信部を制御する制御部とを有する。【選択図】  図２
2018143031.tif 000002
【特許請求の範囲】
【請求項１】
無線で電子機器に電力を供給する給電装置であって、
非接触にて電力の送信及び情報の送受信を行う通信手段と、
前記通信手段を介して電子機器と最初に認証を行う場合、当該電子機器との間で通信が確立した際の通信モードを表す情報を保持する保持手段と、
前記通信手段を介して電子機器との間で、２回目の認証を行う場合は、前記保持手段に保持された情報に基づく通信モードで通信するように前記通信手段を制御する制御手段と
を有することを特徴とする給電装置。
【請求項２】
前記制御手段は、
電子機器と最初の認証を行う場合に、予め設定された第１のレベルの電力を前記通信手段を介して出力して電子機器との間で通信を確立し、当該電子機器が充電可能な電池を有するか否かを判定する判定手段と、
該判定手段により前記電子機器が充電可能な電池を有すると判定された場合、前記電子機器の電池を充電するために再認証に遷移する遷移手段と
を含むことを特徴とする請求項１に記載の給電装置。
【請求項３】
前記通信手段は、ＮＦＣ（Near Field Communication)通信手段であることを特徴とする請求項２に記載の給電装置。
【請求項４】
前記通信手段は、ピアモードのイニシエータ通信方式とピアモードのターゲット通信方式を有することを特徴とする請求項３に記載の給電装置。
【請求項５】
前記制御手段は、
前記遷移手段により前記電子機器と再認証を行う場合、当該電子機器との最初の認証で決定した時間が経過する期間では、前記電子機器がイニシエータとして送信するキャリア信号に対して無応答とする
ことを特徴とする請求項３又は４に記載の給電装置。
【請求項６】
前記制御手段は、
前記遷移手段により前記電子機器と再認証を行う場合、当該電子機器との最初の認証で決定した時間が経過する期間では、前記電子機器がイニシエータとして送信するキャリア信号に対してエラー応答する
ことを特徴とする請求項３又は４に記載の給電装置。
【請求項７】
前記制御手段は、
前記電子機器と再認証を行う場合、前記期間が経過した後は前記第１のレベルの電力の前記電子機器への供給を開始する
ことを特徴とする請求項５又は６に記載の給電装置。
【請求項８】
前記制御手段は、
前記再認証にて、前記電子機器の電池が非満充電状態であるか否かを判定し、非満充電状態である場合に第２のレベルの電力を前記電子機器に供給を開始する
ことを特徴とする請求項６又は７に記載の給電装置。
【請求項９】
前記制御手段は、
前記再認証にて、前記電子機器の電池が満充電状態であると判定した場合には、電力の供給を停止する
ことを特徴とする請求項８に記載の給電装置。
【請求項１０】
前記制御手段は、
給電対象の電子機器以外の異物を検出する異物検出手段を含み、
前記異物検出手段で異物を検出した場合には、電力の供給を停止する
ことを特徴とする請求項８に記載の給電装置。
【請求項１１】
充電可能な電池を有すると共に、無線で給電装置からの電力を受けて動作可能な電子機器であって、
非接触にて電力の受信及び情報の送受信を行う通信手段と、
前記通信手段を介して給電装置と最初に認証を行う場合、当該給電装置との間で通信が確立した際の通信モードを表す情報を保持する保持手段と、
前記通信手段を介して前記給電装置との間で、２回目の認証を行う場合は、前記保持手段に保持された情報に基づく通信モードで通信するように前記通信手段を制御する制御手段と
を有することを特徴とする電子機器。
【請求項１２】
前記制御手段は、
給電装置と最初の認証を行う場合に、当該給電装置が充電のための給電が可能か否かを判定する判定手段と、
該判定手段により前記給電装置が充電のための給電が可能と判定された場合、前記電池を充電するために再認証に遷移する遷移手段と
を含むことを特徴とする請求項１１に記載の電子機器。
【請求項１３】
前記制御手段は、
前記遷移手段により前記給電装置と再認証を行う場合、当該給電装置との最初の認証で決定した時間が経過する期間では、前記給電装置がイニシエータとして送信するキャリア信号に対して無応答とする
ことを特徴とする請求項１２に記載の電子機器。
【請求項１４】
前記制御手段は、
前記給電装置と再認証を行う場合、前記期間が経過した後は前記電池を充電するための電力を受信を開始する
ことを特徴とする請求項１３に記載の電子機器。
【請求項１５】
請求項１乃至１０のいずれか１項に記載の給電装置、及び、請求項１１乃至１４のいずれか１項の電子機器を含む無線電力伝送システム。
【請求項１６】
非接触にて電力の送信及び情報の送受信を行う通信手段を有し、無線で電子機器に電力を供給する給電装置の制御方法であって、
前記通信手段を介して電子機器と最初に認証を行う場合、当該電子機器との間で通信が確立した際の通信モードを表す情報を保持する保持工程と、
前記通信手段を介して電子機器との間で、２回目の認証を行う場合は、前記保持工程に保持された情報に基づく通信モードで通信するように前記通信手段を制御する制御工程と
を有することを特徴とする給電装置の制御方法。
【請求項１７】
充電可能な電池と、非接触にて電力の受信及び情報の送受信を行う通信手段とを有する電子機器の制御方法であって、
前記通信手段を介して給電装置と最初に認証を行う場合、当該給電装置との間で通信が確立した際の通信モードを表す情報を保持する保持工程と、
前記通信手段を介して前記給電装置との間で、２回目の認証を行う場合は、前記保持工程に保持された情報に基づく通信モードで通信するように前記通信手段を制御する制御工程と
を有することを特徴とする電子機器の制御方法。
【請求項１８】
非接触にて電力の送信及び情報の送受信を行う通信手段を有するコンピュータが読み込み実行することで、前記コンピュータに請求項１６に記載の方法の各工程を実行させるためのプログラム。
【請求項１９】
充電可能な電池と、非接触にて電力の受信及び情報の送受信を行う通信手段とを有するコンピュータが読み込み実行することで、前記コンピュータに請求項１７に記載の方法の各工程を実行させるためのプログラム。
【発明の詳細な説明】
【技術分野】
【０００１】
本発明は、無線による電力伝送技術に関するものである。
【背景技術】
【０００２】
近年、コネクタで接続することなく無線により電力を出力する給電装置と、給電装置から無線により供給される電力によって、電池を充電する電子機器とを含む非接触給電システムが知られている。
【０００３】
このような無線電力伝送システムにおいて、リクエストを電子機器に送信するための通信と、電子機器への電力の伝送とを同一のアンテナを用いて交互に行う給電装置が知られている（特許文献１）。
【０００４】
また、無線電力伝送システムの通信において、ＮＦＣ（Ｎｅａｒ  Ｆｅｉｌｄ  Ｃｏｍｍｕｎｉｃａｔｉｏｎ）を用いる方法も開示されている（特許文献２）。ＮＦＣには電磁界を発生させる側のリーダライタモード、ピアモードのイニシエータと、電磁界を受ける側のカードエミュレーションモード、ピアモードのターゲットと呼ばれる通信モードが存在する。無線電力伝送システムにおける通信においてＮＦＣを使用する場合に、給電装置、電子装置はこれらのいずれかの通信モードで通信を行う必要がある。
【先行技術文献】
【特許文献】
【０００５】
【特許文献１】特開２００８−１１３５１９号公報
【特許文献２】特開２０１０−２８４０６５号公報
【発明の概要】
【発明が解決しようとする課題】
【０００６】
給電と通信を切り替えてＮＦＣの通信を行って給電装置と電子機器を再接続させる場合で、通信と給電の間で電磁界をＯＦＦさせる場合には、通信ごとにＮＦＣの認証を行う必要がある。ＮＦＣの認証を行う場合に、ＮＦＣにおける両者の通信モードが切り替わる可能性がある。しかし、その一方で、意図的にどちらか一方の通信モードに固定したいという要望もある。
【０００７】
本発明は、ＮＦＣの再認証の際に、それ以前の通信モードを継続させる技術を提供させるものである。
【課題を解決するための手段】
【０００８】
この課題を解決するため、例えば本発明の給電装置は以下の構成を備える。すなわち、
無線で電子機器に電力を供給する給電装置であって、
非接触にて電力の送信及び情報の送受信を行う通信手段と、
前記通信手段を介して電子機器と最初に認証を行う場合、当該電子機器との間で通信が確立した際の通信モードを表す情報を保持する保持手段と、
前記通信手段を介して電子機器との間で、２回目の認証を行う場合は、前記保持手段に保持された情報に基づく通信モードで通信するように前記通信手段を制御する制御手段とを有する。
【発明の効果】
【０００９】
本発明によれば、再認証の際に通信モードが変更されないようにすることができる。
【図面の簡単な説明】
【００１０】
【図１】実施形態におけるシステムを示す図。
【図２】実施形態におけるシステムのブロック構成図。
【図３】実施形態における給電装置の処理全体を示すフローチャート。
【図４】実施形態における給電装置の給電処理を示すフローチャート。
【図５】実施形態における電子機器の処理全体を示すフローチャート。
【図６】実施形態における電子機器の受電処理を示すフローチャート。
【発明を実施するための形態】
【００１１】
以下図面に従って本発明に係る実施形態を詳細に説明する。
【００１２】
［第１の実施形態］
＜システム構成図＞
第１の実施形態に係る給電システムは、図１に示すように給電装置１００と、電子機器２００とを有し、これらがＮＦＣ（Near Field Communication)通信を行うものである。また、図２は、給電装置１００と電子機器２００それぞれのブロック構成図を示している。
【００１３】
第１の実施形態における無線電力伝送システムにおいて、図１のように電子機器２００が給電装置１００の上に置かれた場合、給電装置１００は、アンテナ１０８を介して電子機器２００に無線により通信及び給電を行う。また、給電装置１００と電子機器２００との距離が所定の範囲内に存在する場合、アンテナ２０１を有する電子機器２００は、アンテナ２０１を介して給電装置１００から出力される電力を無線により受け付ける。さらに、電子機器２００は、アンテナ２０１を介して給電装置１００から受け付けた電力によって、電子機器２００に装着されている電池２１０の充電を行う。
【００１４】
また、給電装置１００と電子機器２００との距離が所定の範囲内に存在しない場合、電子機器２００は、アンテナ２０１を有している場合であっても、給電装置１００と通信することができない。なお、所定の範囲とは、電子機器２００が給電装置１００から供給される電力によって、通信を行うことができる範囲である。
【００１５】
なお、実施形態における給電装置１００は、複数の電子機器に対しても、並行して電力を無線で供給することができるものとする。
【００１６】
電子機器２００は、電池２１０から供給される電力によって動作する電子機器であれば、その種類は問わない。例えば、スマートフォン、デジタルスチルカメラ、カメラ付き携帯電話、デジタルビデオカメラ等の撮像装置であってもよく、音声データや映像データの再生を行うプレイヤ等の再生装置であっても良い。また、電子機器２００は、電池２１０から供給される電力によって駆動する車のような移動装置であってもよい。また、電子機器２００は、電池２１０が装着されていない場合に、給電装置１００から供給される電力によって動作する電子機器であってもよいものとする。
【００１７】
次に、給電装置１００、電子機器２００の構成のより詳細を説明する。図２に示すように、給電装置１００は、発振器１０１、電力送信回路１０２、整合回路１０３、通信回路１０４、ＣＰＵ１０５、ＲＯＭ１０６、ＲＡＭ１０７、アンテナ１０８、タイマ１０９、操作部１１０、変換部１１１、表示部１１２及び異物検出回路１１３を有する。
【００１８】
発振器１０１は、不図示のＡＣ電源から変換部１１１を介して供給される電力で駆動し、電力送信回路１０２を制御するために用いられる周波数を発振する。なお、発振器１０１は、水晶振動子等を用いる。
【００１９】
電力送信回路１０２は、変換部１１１から供給される電力と、発振器１０１によって発振される周波数とに応じて、アンテナ１０８を介して電子機器２００に供給するための電力を生成する。電力送信回路１０２は、内部にＦＥＴ等を有し、発振器１０１によって発振される周波数に応じて、内部のＦＥＴのゲート電圧により、ソース・ドレインの端子間に流れる電流を制御することにより、電子機器２００に供給するための電力を生成する。なお、電力送信回路１０２によって生成された電力は、整合回路１０３に供給される。また、電力送信回路１０２は内部のＦＥＴのゲート電圧を制御することでＦＥＴからの電力を停止することもできる。
【００２０】
また、電力送信回路１０２によって生成される電力には、第１の電力と、第２の電力とがある。
【００２１】
第１の電力は、給電装置１００が電子機器２００を制御するためのリクエストを電子機器２００に送信するための通信用の電力である。第２の電力は、給電装置１００が電子機器２００に対して給電を行う場合に電子機器２００に供給するための電力である。例えば、第１の電力は、０．１Ｗ〜１Ｗ以下の電力であり、第２の電力は、２Ｗ〜１０Ｗまでの電力である。このように、第１の電力は、第２の電力よりも低い電力であるものとする。
【００２２】
なお、給電装置１００が第１の電力を電子機器２００に供給している場合、給電装置１００は、アンテナ１０８を介してリクエストを電子機器２００に送信することができる。しかし、給電装置１００が第２の電力を電子機器２００に供給している場合、給電装置１００は、アンテナ１０８を介してリクエストを電子機器２００に送信することができない。
【００２３】
ＣＰＵ１０５は、電子機器２００に供給するための電力を、第１の電力、第２の電力、電力停止のいずれか一つに切り替えるように電力送信回路１０２を制御する。
【００２４】
整合回路１０３は、発振器１０１によって発振される周波数に応じて、アンテナ１０８と、ＣＰＵ１０５により選択された給電対象となる装置が有する受電アンテナとの間で共振を行うための共振回路である。
【００２５】
ＣＰＵ１０５は、発振器１０１によって発振される周波数を、共振周波数ｆに設定する。なお、共振周波数ｆは、給電装置１００と、給電装置１００の給電対象となる装置とが共振を行うための周波数である。
【００２６】
給電装置１００と、給電装置１００の給電対象となる装置とが共振を行うための周波数を以下「共振周波数ｆ」と呼ぶ。
【００２７】
次式（１）は、共振周波数ｆを示すものとする。Ｌは、アンテナ１０８のインダクタンス、Ｃは整合回路１０３のキャパシタンスを示す。
【数１】
2018143031.tif 000003
【００２８】
なお、共振周波数ｆは、商用周波数である５０／６０Ｈｚであってもよく、１０〜数百ｋＨｚであってもよく、１０ＭＨｚ前後の周波数であってもよい。
【００２９】
発振器１０１によって発振される周波数が共振周波数ｆに設定された状態で、電力送信回路１０２によって生成された電力は、整合回路１０３を介してアンテナ１０８に供給される。
【００３０】
通信回路１０４は、電子機器２００を制御するためのリクエストを電子機器２００に送信するために、予め定められたプロトコルに応じて、電力送信回路１０２によって生成された電力の変調を行う。予め定められたプロトコルとは、例えば、ＲＦＩＤ（Ｒａｄｉｏ  Ｆｒｅｑｕｅｎｃｙ  ＩＤｅｎｔｉｆｉｃａｔｉｏｎ）等のＩＳＯ／ＩＥＣ  １８０９２規格に準拠した通信プロトコルである。また、あらかじめ定められたプロトコルは、ＮＦＣ（Ｎｅａｒ  Ｆｉｅｌｄ  Ｃｏｍｍｕｎｉｃａｔｉｏｎ）規格に準拠した通信プロトコルであってもよい。電力送信回路１０２によって発生された電力は、通信回路１０４によって、電子機器２００と通信を行うためのリクエストとして、アナログ信号に変換され、アンテナ１０８を介して電子機器２００に送信される。
【００３１】
電子機器２００に送信されたパルス信号は、電子機器２００により解析されることによって、「１」の情報と、「０」の情報とを含むビットデータとして検出される。なお、リクエストには、宛先を識別するための識別情報及びリクエストによって指示される動作を示すリクエストコード等が含まれる。また、ＣＰＵ１０５は、リクエストに含まれる識別情報を変更するように通信回路１０４を制御することによって、電子機器２００だけにリクエストを送信することもできる。また、ＣＰＵ１０５は、リクエストに含まれる識別情報を変更するように通信回路１０４を制御することによって、電子機器２００及び電子機器２００以外の装置に対しても、リクエストを送信することもできる。
【００３２】
通信回路１０４は、電力送信回路１０２によって発生された電力を、振幅変位を利用したＡＳＫ（Ａｍｐｌｉｔｕｄｅ  Ｓｈｉｆｔ  Ｋｅｙｉｎｇ）変調によって、パルス信号に変換する。ＡＳＫ変調は、振幅変位を利用した変調であり、ＩＣカードと、ＩＣカードと無線により通信を行うカードリーダとの通信等で用いられる。
【００３３】
通信回路１０４は、通信回路１０４に含まれるアナログ乗算器や負荷抵抗をスイッチングさせることにより電力送信回路１０２によって生成された電力の振幅を変更する。このことによって、通信回路１０４は、電力送信回路１０２によって生成された電力をパルス信号に変更する。通信回路１０４によって変更されたパルス信号は、アンテナ１０８に供給され、リクエストとして電子機器２００に送信される。さらに、通信回路１０４は、所定の符号化方式による符号化回路を有する。
【００３４】
通信回路１０４は、整合回路１０３において検出されるアンテナ１０８に流れる電流の変化に応じて、電子機器２００に送信したリクエストに対する電子機器２００からの応答や電子機器２００から送信される情報を復号化回路により復調することができる。このことによって、通信回路１０４は、負荷変調方式によって電子機器２００に送信したリクエストに対する応答や電子機器２００から送信される情報を、電子機器２００から受信することができる。通信回路１０４は、ＣＰＵ１０５からの指示に応じてリクエストを電子機器２００に送信する。さらに、通信回路１０４は、電子機器２００から応答や情報を受信した場合、受信した応答や情報を復調してＣＰＵ１０５に供給する。
【００３５】
通信回路１０４は通信を設定するためのレジスタを持っており、ＣＰＵ１０５から制御されることで通信時の送受信感度を調整することができる。
【００３６】
ＣＰＵ１０５は、不図示のＡＣ電源と給電装置１００とが接続されている場合、不図示のＡＣ電源から変換部１１１を介して供給される電力によって、給電装置１００の各部を制御する。また、ＣＰＵ１０５は、ＲＯＭ１０６に記憶されているコンピュータプログラムを実行することによって、給電装置１００の各部の動作を制御する。ＣＰＵ１０５は電力送信回路１０２を制御することにより電子機器２００に供給する電力を制御する。また、ＣＰＵ１０５は、通信回路１０４を制御することにより、リクエストを電子機器２００に送信する。
【００３７】
ＲＯＭ１０６は、給電装置１００の各部の動作を制御するコンピュータプログラム及び各部の動作に関するパラメータ等の情報を記憶する。また、ＲＯＭ１０６は、表示部１１２に表示させるための映像データを記録している。
【００３８】
ＲＡＭ１０７は、書き換え可能な揮発性メモリであり、一時的に給電装置１００の各部の動作を制御するコンピュータプログラム、各部の動作に関するパラメータ等の情報、通信回路１０４によって電子機器２００から受信された情報等を記録する。
【００３９】
アンテナ１０８は、電力送信回路１０２により生成された電力を外部に出力するためのアンテナである。
【００４０】
給電装置１００は、アンテナ１０８を介して電子機器２００またはＮＦＣ機器２００ａに電力を供給し、アンテナ１０８を介して電子機器２００にリクエストを送信する。また、給電装置１００は、アンテナ１０８を介して電子機器２００からのリクエストや、電子機器２００に送信したリクエストに対応する応答及び電子機器２００から送信された情報を受信する。
【００４１】
タイマ１０９は、現在の時刻や各部で行われる動作や処理に関する時間を計測する。また、タイマ１０９によって計測される時間に対する閾値は、ＲＯＭ１０６にあらかじめ記録されている。
【００４２】
操作部１１０は、給電装置１００を操作するためのユーザインターフェースを提供する。操作部１１０は、給電装置１００の電源ボタン及び給電装置１００のモード切換ボタン等を有し、各ボタンはスイッチ、タッチパネル等により構成される。ＣＰＵ１０５は、操作部１１０を介して入力されたユーザの指示に従って給電装置１００を制御する。なお、操作部１１０は、不図示のリモートコントローラから受信したリモコン信号に応じて給電装置１００を制御するものであってもよい。
【００４３】
変換部１１１は、不図示のＡＣ電源と給電装置１００とが接続されている場合、不図示のＡＣ電源から供給される交流電力を直流電力に変換し、変換した直流電力を給電装置１００全体に供給する。
【００４４】
表示部１１２は、ＣＰＵ１０５によって生成された表示内容を表示する表示部である。表示部１１２は、例えば液晶や有機ＥＬ等と、これらを制御する表示制御部で構成される。
【００４５】
異物検出回路１１３は、出力電流値、進行波の振幅電圧Ｖ１及び反射波の振幅電圧Ｖ２を検出し、検出した出力電流値と出力電圧値、反射電圧の信号をアナログからデジタル信号に変換し、ＣＰＵ１０５に通知する。異物検出回路１１３は例えば方向性結合器によって構成される。電力の進行波と給電側ループアンテナ１０８からの反射波をＣＭ結合により、進行波と反射波の振幅に比例した電圧を受信でき、それぞれの電圧を、Ａ／Ｄ（アナログデジタル）コンバータを用いてアナログ値からデジタル値に変更し、ＣＰＵ１０５へ検出信号として送る。ＣＰＵ１０５は、進行波の振幅電圧Ｖ１と反射波の振幅電圧Ｖ２から電圧反射係数ρを求める。そして、ＣＰＵ１０５は、求めた電圧反射係数ρから定在波比ＶＳＷＲ（Ｖｏｌｔａｇｅ  Ｓｔａｎｄｉｎｇ  Ｗａｖｅ  Ｒａｔｉｏ）を求める。この値が１に近いほど反射電力の少なく電力効率の良い状態であることを示す。
【００４６】
ここで、電圧反射係数ρは、次式（２）によって示させるものとする。
【数２】
2018143031.tif 000004
【００４７】
そして、定在波比ＶＳＷＲは、次式（３）によって示されるものとする。
【数３】
2018143031.tif 000005
【００４８】
ＣＰＵ１０５は、ＶＳＷＲ値が急に変化したことにより、給電対象の電子機器以外の異物がアンテナ１０８の通信圏内に侵入したことを検出する。
【００４９】
次に、図２を参照して、電子機器２００の構成の一例について説明を行う。なお、実施形態における電子機器２００はデジタルスチルカメラとするが、あくまで例示であり、その種類は問わない。また、図示では、カメラに係る構成は省略している。
【００５０】
電子機器２００は、アンテナ２０１、整合回路２０２、整流平滑回路２０３、通信回路２０４、ＣＰＵ２０５、ＲＯＭ２０６、ＲＡＭ２０７、電源制御部２０８、充電制御部２０９、電池２１０、タイマ２１１、操作部２１２および外部電源２１３を有する。
【００５１】
アンテナ２０１は、給電装置１００から供給される電力を受電するためのアンテナである。電子機器２００は、アンテナ２０１を介して、給電装置１００から電力を受電して、リクエストを受信する。また、電子機器２００は、アンテナ２０１を介して給電装置１００を制御するためのリクエスト、給電装置１００から受信したリクエストに対応する応答及び所定の情報を送信する。
【００５２】
整合回路２０２は、給電装置１００の共振周波数ｆと同じ周波数でアンテナ２０１が共振するように、インピーダンスマッチングを行うための共振回路である。整合回路２０２は、整合回路１０３と同様にコンデンサ、コイル、及び抵抗等を有する。整合回路２０２は、給電装置１００の共振周波数ｆと同じ周波数でアンテナ２０１が共振する。また、整合回路２０２は、アンテナ２０１によって受電される電力を整流平滑回路２０３に供給する。整合回路２０２は、アンテナ２０１によって受電される電力の一部を交流波形のままリクエストとして通信回路２０４に供給する。
【００５３】
整流平滑回路２０３は、アンテナ２０１によって受電された電力からリクエスト及びノイズを取り除き、直流電力を生成する。さらに、整流平滑回路２０３は、生成した直流電力を電源制御部２０８に供給する。なお、整流平滑回路２０３は、整流用のダイオードを有し、全波整流及び半波整流のいずれか一つにより直流電力を生成する。整流平滑回路２０３によって生成された直流電力は、電源制御部２０８に供給される。
【００５４】
通信回路２０４は、整合回路２０２から供給されたリクエストを給電装置１００と予め決められた通信プロトコルに応じて解析し、リクエストの解析結果をＣＰＵ２０５に供給する。
【００５５】
給電装置１００から電子機器２００に対して、ＣＰＵ２０５は、リクエストに対する応答及び所定の情報を給電装置１００に送信するために通信回路２０４に含まれる抵抗等の負荷をＯＮ／ＯＦＦ変動させるように通信回路２０４を制御して負荷変調信号として通信を行う。通信回路２０４に含まれる負荷が変化する場合、アンテナ１０８に流れる電流が変化する。これにより、給電装置１００は、アンテナ１０８に流れる電流の変化を検出することによって、電子機器２００から送信されるリクエスト、リクエスト対する応答及び所定の情報を受信する。
【００５６】
通信回路２０４は、通信回路１０４と同様に、電源制御部２０８から供給された電力を、振幅変位を利用したＡＳＫ変調によってパルス信号に変換し、整合回路２０２、受電側ループアンテナ２０１を介して出力する。そして、ＡＳＫ変調信号の送信に対する負荷変調信号の受信を受電側ループアンテナ２０１、整合回路２０２を介して行うことが可能である。
【００５７】
ＣＰＵ２０５は、通信回路２０４から供給された解析結果に応じて通信回路２０４が受信したリクエストがどのリクエストであるかを判定し、受信したリクエストに対応するリクエストコードによって指定されている処理や動作を行うように電子機器２００を制御する。
【００５８】
ＣＰＵ２０５は、給電装置からの機器認証の要求や、充電情報を取得する要求に対して通信回路２０４を介して応答を返す。
【００５９】
また、ＣＰＵ２０５は、ＲＯＭ２０６に記憶されているコンピュータプログラムを実行することによって、電子機器２００の各部の動作を制御する。このＲＯＭ２０６には、電子機器２００の各部の動作を制御するコンピュータプログラム及び各部の動作に関するパラメータ等の情報が記憶されている。また、ＲＯＭ２０６には、電子機器２００の識別情報等が記録される。電子機器２００の識別情報とは、電子機器２００のＩＤを示す情報であり、更に電子機器２００のメーカー名、電子機器２００の装置名、電子機器２００の製造年月日等が含まれる。
【００６０】
ＲＡＭ２０７は、書き換え可能な揮発性メモリであり、一時的に電子機器２００の各部の動作を制御するコンピュータプログラム、各部の動作に関するパラメータ等の情報、給電装置１００から送信された情報等を記録する。
【００６１】
電源制御部２０８はスイッチングレギュレータやリニアレギュレータから構成され、整流平滑回路２０３または外部電源２１３のいずれかより供給された直流の電力を充電制御部２０９及び、電子機器２００全体に供給する。
【００６２】
充電制御部２０９は、電源制御部２０８から電力を供給される場合、供給される電力に応じて、電池２１０の充電を行う。なお、充電制御部２０９は、定電圧定電流方式により電池２１０の充電を行うものとする。また、充電制御部２０９は、装着されている電池２１０の充電に関する情報を定期的に検出し、ＣＰＵ２０５に供給する。なお、電池２１０の充電に関する情報を以下「充電情報」と呼ぶ。
【００６３】
ＣＰＵ２０５は、充電情報をＲＡＭ２０７に記録する。なお、充電情報には、電池２１０の残りの容量を示す残容量情報の他に電池２１０が満充電であるか否かを示す情報が含まれていてもよく、充電制御部２０９によって、電池２１０の充電が開始されてから経過した時間を示す情報が含まれていてもよい。また、充電情報には、充電制御部２０９が電池２１０を定電圧制御に応じて充電を行っていることを示す情報や、充電制御部２０９が電池２１０を定電流制御に応じて充電を行っていることを示す情報等が含まれていてもよい。また、充電情報には、充電制御部２０９が電池２１０に対してソフトウェア充電制御やトリクル充電を行っていることを示す情報や、充電制御部２０９が電池２１０に対して急速充電を行っていることを示す情報等が含まれている。また、充電情報には、電子機器２００が電池２１０に充電するのに必要な電力情報や、電池２１０が危険な温度状態であるか否か等の情報が含まれている。充電情報には、受電装置２００を動作させるために必要な電池容量がどの程度必要なのかを示す情報が含まれる。更に、充電情報には給電装置からの電力が停止された際に放電した場合に、どの程度電池容量が低下するのかの情報や、電池２１０が何回充放電を繰り返したのか等の電池２１０の消耗に関する情報が含まれる。
【００６４】
電池２１０は、電子機器２００に着脱可能な電池である。また、電池２１０は、充電可能な二次電池であり、例えばリチウムイオン電池等である。電池２１０は、電子機器２００の各部に対して電力を供給することができる。電池２１０は電源制御部２０８を介して電力供給がされない場合、電子機器２００の各部に対して電力を供給する。例えば、給電装置から通信時における第１の電力が低く設定されていて出力される場合や、給電装置からの電力供給が停止するような場合には、電池２１０から電子機器２００の各部に対して電力を供給する。
【００６５】
タイマ２１１は、現在の時刻や各部で行われる動作や処理に関する時間を計測する。また、タイマ２１１によって計測される時間に対する閾値は、ＲＯＭ２０６にあらかじめ記録されている。
【００６６】
操作部２１２は、電子機器２００を操作するためのユーザインターフェースを提供する。操作部２１２は、電子機器２００を操作するための電源ボタン及び電子機器２００の動作モードを切り換えるモード切換ボタン等を有し、各ボタンはスイッチ、タッチパネル等により構成される。ＣＰＵ２０５は、操作部２１２を介して入力されたユーザの指示に従って電子機器２００を制御する。なお、操作部２１２は、不図示のリモートコントローラから受信したリモコン信号に応じて電子機器２００を制御するものであってもよい。
【００６７】
外部電源２１３は、交流電源からＡＣをＤＣに変更して供給する電源である。
【００６８】
なお、アンテナ１０８及びアンテナ２０１は、ヘリカルアンテナであっても、ループアンテナであってもよく、メアンダラインアンテナ等の平面状のアンテナであってもよいものとする。
【００６９】
また、第１の実施形態において、給電装置１００によって行われる処理は、給電装置１００が電磁界結合によって電子機器２００に対して無線で電力を供給するシステムにおいても適用できるものとする。同様に、第１の実施形態において、電子機器２００によって行われる処理は、給電装置１００が電磁界結合によって電子機器２００に対して無線で電力を供給するシステムにおいても適用できるものとする。
【００７０】
また、アンテナ１０８として電極を給電装置１００に設け、アンテナ２０１として電極を電子機器２００に設けることにより、給電装置１００が電界結合により電力を電子機器２００に供給するシステムにおいても、本発明を適用することができる。
【００７１】
また、給電装置１００が電磁誘導によって無線で電子機器２００に電力を供給するシステムにおいても、給電装置１００によって行われる処理及び電子機器２００によって行われる処理を適用できるものとする。
【００７２】
また、第１の実施形態において、給電装置１００は、電子機器２００に対して無線で電力を送信し、電子機器２００は、給電装置１００から無線で電力を受電するものとした。しかし、「無線」を「非接触」や「無接点」と言い換えてもよいものとする。
【００７３】
＜給電装置１００の処理全体＞
図３は、本第１の実施形態における、給電装置１００の処理手順を示すフローチャートである。なお、本フローチャートに対応する制御プログラムはＲＯＭ１０６に予め記憶されており、給電装置１００の電源がＯＮの状態において、ＣＰＵ１０５がＲＯＭ１０６に格納されているプログラムをＲＡＭ１０７に展開して実行する。本フローチャートにおける制御プログラムは、定期的に処理を繰り返し実行してもよい。
【００７４】
Ｓ３０１において、ＣＰＵ１０５は、アンテナ１０８、整合回路１０３を介して通信回路１０４で電子機器２００からの所定の周波数で放出される電磁界（以降キャリアとする）を受信したか否かを判断する。例えばＮＦＣであれば周波数は１３．５６ＭＨｚのキャリア信号となる。ＣＰＵ１０５はキャリアを受信したと判定した場合（Ｓ３０１のＹｅｓ）、処理をＳ３０１からＳ３１１へ進める。一方、ＣＰＵ１０５がキャリアを受信していないと判定した場合（Ｓ３０１のＮｏ）、ＣＰＵ１０５は処理をＳ３０１からＳ３０２へ進める。
【００７５】
Ｓ３０２にて、ＣＰＵ１０５は、電力送信回路１０２を制御して第１の電力を出力する。例えば、ＣＰＵ１０５は、第１の電力として、少なくとも電子機器２００の通信回路２０４が電池２１０からの電力供給を受けることなく動作可能な電力を出力する。ＣＰＵ１０５は、第１の電力を出力すると、処理をＳ３０２からＳ３０３へ進める。このＳ３０３において、ＣＰＵ１０５は、出力した第１の電力に対して通信回路１０４を制御して変調をかけて、電子機器２００を検出するためのリクエストを送信する。例えばＮＦＣ対応機器が存在するかどうか問い合わせる際、ＴｙｐｅＡである場合はＳＥＮＳ＿ＲＥＱリクエスト、ＴｙｐｅＢである場合はＳＥＮＳＢ＿ＲＥＱリクエスト、ＴｙｐｅＦである場合ＳＥＮＳＦ＿ＲＥＱリクエストを送信する。ＣＰＵ１０５は、第１の電力、次いでリクエストを送信すると、処理をＳ３０３からＳ３０４へ進める。
【００７６】
Ｓ３０４において、ＣＰＵ１０５は、通信回路１０４を介してリクエストに対する電子機器２００からの応答信号を受信したか否かを判別する。例えば、給電装置１００は、電子機器２００がＮＦＣ対応機器である場合は、ＴｙｐｅＡへの応答としてＳＥＮＳ＿ＲＥＳ応答、ＴｙｐｅＢへの応答としてＳＥＮＳＢ＿ＲＥＳ応答，ＴｙｐｅＦへの応答としてＳＥＮＳＦ＿ＲＥＳ応答を受信することになる。ＣＰＵ１０５がいずれかの応答を受信すると、電子機器２００が存在すると判断し、処理をＳ３０４からＳ３０５へ進める。一方、ＣＰＵ１０５が電子機器２００からの応答信号を受信出来なかったと判定した場合、このＳ３０４にて、フローチャートの処理を終える。
【００７７】
Ｓ３０５において、ＣＰＵ１０５は、通信回路１０４を制御して、電子機器２００との間でＮＦＣの通信確立処理を行う。実施形態におけるＮＦＣの通信確立処理は、ＮＦＣ規格に定義されている認証処理と同じとする。また、ＣＰＵ１０５は、電子機器２００との間での最初の認証であるため、ＮＦＣの通信確立処理において確定された通信モードを表す情報をＲＡＭ１０７に保持しておく。ＣＰＵ１０５は、ＮＦＣの通信確立処理を終えると、Ｓ３０５からＳ３０６へ処理を進める。
【００７８】
Ｓ３０６において、ＣＰＵ１０５は、通信回路１０４を制御して無線電力伝送の認証処理を行う。具体的には、ＮＤＥＦ（ＮＦＣ  Ｄａｔａ  Ｅｘｃｈａｎｇｅ  Ｆｏｒｍａｔ）で構成された無線電力伝送用に関する各種情報（無線電力伝送対応の有無、取り扱い可能な電力、バッテリレベル、バッテリ有無等）のやり取りを行う。ＣＰＵ１０５は、通信回路１０４で受信した無線電力伝送のＮＤＥＦ情報をＲＡＭ１０７に格納する。ＣＰＵ１０５は、本処理を終えて、本フローチャートをＳ３０６からＳ３０７へ遷移させる。
【００７９】
Ｓ３０７において、ＣＰＵ１０５は、Ｓ３０６において受信しＲＡＭ１０７に格納されたＮＤＥＦ情報から、通信相手である電子機器２００が無線電力伝送に対応した機器であるか否かを判断する。例えば、電子機器２００が充電可能なバッテリ（電池）を内蔵している場合には、この無線電力伝送に対応した機器として判定される。あるいは、スーパーキャパシタ等の補助電力源を有する機器である場合には、この無線電電力伝送に対応した機器として判定される。ＣＰＵ１０５は、電子機器２００が無線電力伝送に対応していると判定した場合（Ｓ３０７のＹｅｓ）、処理をＳ３０７からＳ３０８に進める。また、ＣＰＵ１０５は、相手機器が無線電力伝送に対応していないと判定した場合（Ｓ３０７のＮｏ）、処理をＳ３０７からＳ３１３へ処理を進める。
【００８０】
Ｓ３０８において、ＣＰＵ１０５は、電子機器２００から無線電力伝送用の電力である第２の電力の受電から、第１の電力を受信する迄のインターバル時間Ｔ１を取得するためのリクエストを、通信回路１０４を介して送信する。そして。ＣＰＵ１０５は、処理を次のＳ３０９へ進める。
【００８１】
Ｓ３０９において、ＣＰＵ１０５は、通信回路１０４を制御して電子機器２００からインターバル時間Ｔ１のリクエストに対する応答を受信したか否かを判断する。ＣＰＵ１０５は、インターバル時間Ｔ１の応答を受信した場合（Ｓ３０９のＹｅｓ）、処理をＳ３０９からＳ３１０に進める。また、ＣＰＵ１０５は、インターバル時間Ｔ１の応答を受信しなかった場合（Ｓ３０９のＮｏ）、処理をＳ３０９からＳ３１２に進める。なお、ＣＰＵ１０５は、インターバル時間Ｔ１の応答を受信しなかった場合（Ｓ３０９のＮｏ）、無線電力伝送用の電力である第２の電力の出力から第１の電力を出力する迄のインターバル時間Ｔｐを、予め設定されたインターバル時間Ｔ２と設定する。
【００８２】
Ｓ３１０において、ＣＰＵ１０５は、電子機器２００から取得したインターバル時間Ｔ１と、予めＲＡＭ１０７に格納されている、無線電力伝送用の電力である第２の電力の出力から第１の電力を出力する迄のインターバル時間Ｔｐを比較する。そして、ＣＰＵ１０５は、Ｔ１とＴｐを比較し、小さい方をインターバル時間Ｔ２として設定する。そして、ＣＰＵ１０５は、Ｓ３１０にて、通信回路１０４を制御して電子機器２００と給電装置１００のインターバル時間を比較して決定したインターバル時間Ｔ２を電子機器２００に対して通知する。そして、ＣＰＵ１０５は、Ｓ３１０からＳ３１２へ処理を進める。
【００８３】
なお、Ｓ３０９とＳ３１０において実施した処理は順番を逆にして電子機器２００側でインバータル時間を決定してもよい。
【００８４】
Ｓ３１１において、ＣＰＵ１０５は、ＮＦＣのピアモードのターゲット、あるいはカードエミュレーションモードとして動作し、所定のＮＦＣ処理を行う。例えば、相手機器から送信されるＵＲＩ情報を受信してブラウザを立ち上げてサーバーにアクセスする処理や、電子マネーのカード決済処理等を行う。そして、ＣＰＵ１０５は、本フローチャートにおける処理をＳ３１１で終える。
【００８５】
Ｓ３１２において、ＣＰＵ１０５は、無線電力伝送における処理を実施する。Ｓ３１２の処理に関しては図４を用いて詳細を後述する。そして、ＣＰＵ１０５は、本フローチャートにおける処理をＳ３１１で終える。
【００８６】
Ｓ３１３において、ＣＰＵ１０５は、ＮＦＣのピアモードのイニシエータ通信方式、あるいはリーダライタモードとして動作し所望のＮＦＣ処理を行う。例えば、相手機器が電子マネーのＮＦＣカードであればリーダライタモードで決済処理等を行い、相手機器がスマートフォンであればピアモードのイニシエータ通信方式としてＵＲＩ等のデータを送信する。そして、ＣＰＵ１０５は、本フローチャートにおける処理をＳ３１１で終える。
【００８７】
＜給電装置１００の給電処理＞
図４は、本実施形態における、給電装置１００における給電処理（２回目or再認証処理）の一例を示すフローチャートである。なお、本フローチャートにおける制御プログラムは、ＲＯＭ１０６に予め記憶されているものとする。そして、給電装置１００の電源がＯＮの状態において、ＣＰＵ１０５はＲＯＭ１０６に格納されているプログラムがＲＡＭ１０７に展開して実行する。本フローチャートにおける制御プログラムは、定期的に処理を繰り返し実行してもよい。
【００８８】
Ｓ４０１において、ＣＰＵ１０５は、電力送信回路１０２を制御してキャリア出力を停止する。ＣＰＵ１０５は、キャリア出力を停止させると、Ｓ４０１からＳ４０２へ処理を進める。
【００８９】
Ｓ４０２において、ＣＰＵ１０５は、通信回路１０４を介してインターバルＴ２の間、キャリアを受信したか否かを判定する。ＣＰＵ１０５は、キャリアを受信したと判断した場合（Ｓ４０２のＹｅｓ）、Ｓ４０２からＳ４０４へ処理を進める。一方、ＣＰＵ１０５がキャリアを受信しなかったと判断した場合（Ｓ４０２のＮｏ）、Ｓ４０２からＳ４０３へ処理を進める。
【００９０】
Ｓ４０３において、ＣＰＵ１０５は、Ｓ３１０で決定したインターバル時間Ｔ２をタイマ１０９でカウントし、インターバル時間Ｔ２が経過したか否かを判断する。ＣＰＵ１０５が、インターバル時間Ｔ２が経過したと判定した場合（Ｓ４０３のＹｅｓ）、Ｓ４０３からＳ４０５へ処理を進める。一方、ＣＰＵ１０５がインターバル時間Ｔ２が経過していないと判定した場合（Ｓ４０３のＮｏ）、ＣＰＵ１０５はＳ４０３からＳ４０２へ処理を戻す。
【００９１】
Ｓ４０４において、ＣＰＵ１０５は、電子機器２００から受信したキャリア及びリクエストに対して無応答のままとするか、あるいはエラー応答を返すように通信回路１０４を制御する。ＣＰＵ１０５は、Ｓ４０４の処理を終えた後、Ｓ４０４からＳ４０２の処理に戻す。
【００９２】
上記から分かるように、ＣＰＵ１０５は、本処理を開始してからインターバルタイマ時間Ｔ２が示す期間内では、外部からのキャリアに対しては無応答、もしくは、エラー応答を返すことで、それ以上の処理に進まないようにしている。
【００９３】
Ｓ４０５において、ＣＰＵ１０５は、電力送信回路１０２を制御して第１の電力を出力する。例えば、ＣＰＵ１０５は、第１の電力として、少なくとも電子機器２００の通信回路２０４が電池２１０からの電力供給を受けることなく動作することが可能な電力を出力する。ＣＰＵ１０５は、第１の電力を出力した後、Ｓ４０５からＳ４０６へ処理を進める。
【００９４】
Ｓ４０６において、ＣＰＵ１０５は、出力した第１の電力に対して通信回路１０４を制御して変調をかけて、電子機器２００を検出するためのリクエストを送信する。例えばＮＦＣ対応機器が存在するかどうか問い合わせる際、ＴｙｐｅＡである場合はＳＥＮＳ＿ＲＥＱリクエスト、ＴｙｐｅＢである場合はＳＥＮＳＢ＿ＲＥＱリクエスト、ＴｙｐｅＦである場合ＳＥＮＳＦ＿ＲＥＱリクエストを送信する。ＣＰＵ１０５は、第１の電力を出力した後、Ｓ４０６からＳ４０７へ処理を進める。
【００９５】
Ｓ４０７において、ＣＰＵ１０５は、通信回路１０４を介してリクエストに対する電子機器２００からの応答信号を受信したか否かを判別する。例えば、給電装置１００は、電子機器２００がＮＦＣ対応機器である場合は、ＴｙｐｅＡへの応答としてＳＥＮＳ＿ＲＥＳ応答、ＴｙｐｅＢへの応答としてＳＥＮＳＢ＿ＲＥＳ応答，ＴｙｐｅＦへの応答としてＳＥＮＳＦ＿ＲＥＳ応答を受信する。ＣＰＵ１０５は、電子機器２００からの応答信号を受信出来た場合（Ｓ４０７のＹｅｓ）、Ｓ４０７からＳ４０８へ処理を進める。また、ＣＰＵ１０５は、電子機器２００からの応答信号を受信出来なかった場合（Ｓ４０７のＮｏ）、Ｓ４０７からＳ４１４へ処理を進める。
【００９６】
Ｓ４０８において、ＣＰＵ１０５は、通信回路１０４を制御して、電気機器２００との間のＮＦＣの通信確立処理を行う。ＮＦＣの通信確立処理はＮＦＣ規格に定義されている認証処理を行うものとする。その際、ＣＰＵ１０５は、ＲＡＭ１０７に保持されるＳ３０６で決定した通信モードをＲＡＭ１０７から取得して同一の通信モードを選択する。ＣＰＵ１０５は、ＮＦＣの通信確立処理を終えた後、Ｓ４０８からＳ４０９へ処理を進める。
【００９７】
Ｓ４０９において、ＣＰＵ１０５は、通信回路１０４を制御して無線電力伝送の認証処理を行う。ＣＰＵ１０５は、ＮＤＥＦで構成された無線電力伝送用に関する各種情報（無線電力伝送対応の有無、取り扱い可能な電力、バッテリレベル、バッテリ有無、必要な電力等）のやり取りを行う。なお、ＣＰＵ１０５は、各種情報のやり取りの結果、給電が不可な状態と判断した場合には、電力伝送終了の通知を、通信制御部１０４を制御して電子機器２００に対して通知する。ＣＰＵ１０５は、通信回路１０４で受信した無線電力伝送のＮＤＥＦ情報をＲＡＭ１０７に格納する。ＣＰＵ１０５は、本処理を終えて、Ｓ４０９からＳ４１０へ処理を遷移させる。
【００９８】
Ｓ４１０において、ＣＰＵ１０５は、Ｓ４０９において受信しＲＡＭ１０７に格納されたＮＤＥＦ情報に基づき、相手機器である電子機器２００が無線電力伝送に対応した機器であるか否かを判断する。ＣＰＵ１０５は、相手機器が無線電力伝送に対応していると判定した場合（Ｓ４１０のＹｅｓ）、Ｓ４１０からＳ４１１へ処理を進める。一方、ＣＰＵ１０５は、相手機器が無線電力伝送に対応していないと判定した場合（Ｓ４１０のＮｏ）、Ｓ４１０からＳ４１４へ処理を進める。
【００９９】
Ｓ４１１において、ＣＰＵ１０５は、Ｓ４１０において受信したＮＤＥＦで構成された無線電力伝送用に関する各種情報の中からバッテリの有無、バッテリレベル等の情報から給電が可能であるか否かを判断する。ＣＰＵ１０５は、バッテリレベルが非満充電状態等の給電が可能であると判断した場合（Ｓ４１１のＹｅｓ）、Ｓ４１１からＳ４１２へ処理を進める。また、ＣＰＵ１０５は、給電が可能でない、或いは、バッテリレベルが満充電状態である判断した場合（Ｓ４１１のＮｏ）、Ｓ４１１からＳ４１４へ処理を進める。
【０１００】
Ｓ４１２において、ＣＰＵ１０５は、電力送信回路１０２を制御して第２の電力を出力させる。ＣＰＵ１０５は、電力を出力する際、Ｓ４１０において受信したＮＤＥＦで構成された無線電力伝送用に関する各種情報の中の必要な電力情報から、出力する電力を判断して、電力送信回路１０２を制御することになる。ＣＰＵ１０５は、第２の電力を出力した後、Ｓ４１２からＳ４１３へ処理を進める。
【０１０１】
Ｓ４１３において、ＣＰＵ１０５は、異物検出回路１１３を制御して異物が存在していないか判断する。なお、ここでの異物とはＮＦＣカードやＮＦＣタグ、スマートフォンなどの機器や金属物等が想定される。ＣＰＵ１０５は、異物が存在していると判断した場合（Ｓ４１３のＹｅｓ）、Ｓ４１３からＳ４１４へ処理を進める。ＣＰＵ１０５は、異物が存在していないと判断した場合（Ｓ４１３のＮｏ）、Ｓ４１３からＳ４０１へ処理を戻す。
【０１０２】
Ｓ４１４において、ＣＰＵ１０５は、電力送信回路１０２を制御してキャリア出力を停止する。ＣＰＵ１０５は、キャリア出力を停止させた後、本フローチャートに係る処理を終了する。
【０１０３】
上記給電装置１００の処理において、給電装置１００がリーダライタモードまたはピアモードのイニシエータとしてキャリアを出力する構成で説明したが、キャリアを受信してカードエミュレーションモードまたはピアモードのターゲット通信方式で動作しながら、給電処理を行うことも可能である。なお、カードエミュレーションモードまたはピアモードのターゲット通信方式で動作する場合においても給電処理において同一のモードを選択することが可能となる。
【０１０４】
＜電子機器２００の処理全体＞
図５は、本実施形態における、電子機器２００における処理手順を示すフローチャートである。本フローチャートにおける制御プログラムは、ＲＯＭ２０６に格納されている。電子機器２００の電源がＯＮになると、ＣＰＵ２０５はＲＯＭ２０６に格納されているプログラムをＲＡＭ２０７に展開して、実行することになる。本フローチャートにおける制御プログラムは、定期的に処理を繰り返し実行してもよい。
【０１０５】
Ｓ５０１において、ＣＰＵ２０５は、アンテナ２０１、整合回路２０２を介して入力されるキャリア信号を、通信回路を制御して受信したか否かを判断する。ＣＰＵ２０５は、キャリアを受信したと判定した場合（Ｓ５０１のＹｅｓ）、Ｓ５０１からＳ５０２へ処理を進める。また、ＣＰＵ２０５は、キャリアを受信しなかったと判定した場合（Ｓ５０１のＮｏ）、Ｓ５０１からＳ５１２へ処理を進める。
【０１０６】
Ｓ５０２において、ＣＰＵ２０５は、通信回路２０４を制御して受信したキャリア信号に重畳された変調信号を受信したか否かを判断する。例えば、電子機器２００は、ＮＦＣ規格のＴｙｐｅＡのＳＥＮＳ＿ＲＥＱリクエスト、ＴｙｐｅＢのＳＥＮＳＢ＿ＲＥＱリクエスト、ＴｙｐｅＦのＳＥＮＳＦ＿ＲＥＱリクエスト等のリクエストを受信する。ＣＰＵ２０５は、いずれかのリクエストを受信したと判定した場合（Ｓ５０２のＹｅｓ）、Ｓ５０２からＳ５０３へ処理を進める。また、ＣＰＵ２０５は、リクエストを受信しなかったと判定した場合（Ｓ５０２のＮｏ）、本フローチャートの処理を終える。
【０１０７】
Ｓ５０３において、ＣＰＵ２０５は、ＴｙｐｅＡであれば応答としてＳＥＮＳ＿ＲＥＳ応答、ＴｙｐｅＢであれば応答としてＳＥＮＳＢ＿ＲＥＳ応答，ＴｙｐｅＦであれば応答としてＳＥＮＳＦ＿ＲＥＳ応答を、通信回路２０４を制御して負荷変調して返信する。そして、ＣＰＵ２０５は、Ｓ５０３からＳ５０４へ処理を進める。
【０１０８】
Ｓ５０４において、ＣＰＵ２０５は、通信回路２０４を制御して、給電装置１００との間でＮＦＣの通信確立処理を行う。ＣＰＵ２０５は、ＮＦＣの通信確立処理において確定された通信モードを表す情報をＲＡＭ２０７に保持しておく。ＮＦＣの通信確立処理はＮＦＣ規格に定義されている認証処理を行うものとする。ＣＰＵ２０５は、ＮＦＣの通信確立処理を終えた後、Ｓ５０４からＳ５０５へ処理を進める。
【０１０９】
Ｓ５０５において、ＣＰＵ２０５は、通信回路２０４を制御して無線電力伝送の認証処理を行う。具体的には、ＮＤＥＦで構成された無線電力伝送用に関する各種情報（無線電力伝送対応の有無、取り扱い可能な電力、バッテリレベル、バッテリ有無等）のやり取りを行う。この処理を終えると、ＣＰＵ２０５は、Ｓ５０５からＳ５０６へ処理を遷移させる。
【０１１０】
Ｓ５０６において、ＣＰＵ２０５は、給電装置１００から送信されたＮＤＥＦ情報から、無線電力伝送に対応した機器であるか否かを判断する。例えば、給電装置１００が電子機器のバッテリを充電可能な電力供給能力を有する場合、ＣＰＵ２０５はこの給電装置１００は無線電力伝送に対応した機器であると判定する。ＣＰＵ２０５は、相手機器である給電装置１００が無線電力伝送に対応していると判定した場合（Ｓ５０６のＹｅｓ）、Ｓ５０６からＳ５０７へ処理を進める。ＣＰＵ１０５は、相手機器が無線電力伝送に対応していないと判定した場合（Ｓ５０６のＮｏ）、Ｓ５０６からＳ５１０へ処理を進める。
【０１１１】
Ｓ５０７において、ＣＰＵ２０５は、給電装置１００から、無線電力伝送用の電力である第２の電力の受電から第１の電力を受信する迄のインターバル時間Ｔ１を取得するためのリクエストを、通信回路２０４を介して受信する。そしてＣＰＵ２０５は、Ｓ５０７からＳ５０８へ処理を進める。
【０１１２】
Ｓ５０８において、ＣＰＵ２０５は、通信回路２０４を制御してＲＡＭ２０７に保持されているインターバル時間Ｔ１を応答情報として返信する。そしてＣＰＵ２０５は、Ｓ５０８からＳ５０９へ処理を進める。
【０１１３】
Ｓ５０９において、ＣＰＵ２０５は、通信回路２０４を制御して給電装置１００から送信される電子機器２００と給電装置１００のインターバル時間を比較して決定したインターバル時間Ｔ２を受信してＲＡＭ２０７に格納する。ＣＰＵ２０５は、本フローチャートをＳ５０９からＳ５１１へ処理を進める。
【０１１４】
Ｓ５１０において、ＣＰＵ２０５は、ＮＦＣのピアモードのターゲット、あるいはカードエミュレーションモードとして動作し所望のＮＦＣ処理を行う。例えば、相手機器から送信されるＵＲＩ情報を受信してブラウザを立ち上げてサーバーにアクセスする処理や、電子マネーのカード決済処理等を行う。ＣＰＵ２０５は、本フローチャートにおける処理をＳ５１０で終える。
【０１１５】
Ｓ５１１において、ＣＰＵ２０５は、無線電力伝送における受電処理を実施する。Ｓ５１１の処理に関しては図６を用いて詳細を後述する。そして、ＣＰＵ２０５は、本フローチャートにおける処理をＳ５１１で終える。
【０１１６】
Ｓ５１２において、ＣＰＵ２０５は、操作部２１２からの入力を受けてＮＦＣのピアモードのイニシエータ、あるいはリーダライタモードとして動作し所望のＮＦＣ処理を行う。例えば、相手機器が電子マネーのＮＦＣカードであればリーダライタモードで決済処理等を行い、相手機器がスマートフォンであればピアモードのイニシエータとしてＵＲＩ等のデータを送信する。ＣＰＵ２０５は、本フローチャートにおける処理をＳ５１２で終える。なお、ＣＰＵ２０５は、操作部２１２からの入力を受けていない場合は処理を行わない。
【０１１７】
＜電子機器２００の受電処理＞
図６に、本実施形態における、電子機器２００における受電処理の一例を示す。なお、本フローチャートにおける制御プログラムは、ＲＯＭ２０６に格納されている。電子機器２００の電源がＯＮになった場合、ＣＰＵ２０５がＲＯＭ２０６に格納されているプログラムをＲＡＭ２０７に展開し、ＣＰ２０５が実行することになる。本フローチャートにおける制御プログラムは、定期的に処理を繰り返し実行してもよい。
【０１１８】
Ｓ６０１において、ＣＰＵ２０５は、Ｓ５０９で受信したインターバル時間Ｔ２をタイマ２１１にセットして計測を開始する。ＣＰＵ２０５は、インターバル時間Ｔ２が経過するまで、通信回路２０４でキャリアを受信しても応答を返さない。ＣＰＵ２０５は、インターバル時間Ｔ２が経過してから、Ｓ６０１からＳ６０２へ処理を進める。
【０１１９】
Ｓ６０２において、ＣＰＵ２０５は、アンテナ２０１、整合回路２０２を介して入力されるキャリア信号を、通信回路を制御して受信したか否かを判断する。ＣＰＵ２０５は、キャリアを受信したと判定した場合（Ｓ６０２のＹｅｓ）、Ｓ６０２からＳ６０３へ処理を進める。また、ＣＰＵ２０５は、キャリアを受信しなかったと判定した場合（Ｓ６０２のＮｏ）、Ｓ６０２にて本フローチャートの処理を終える。
【０１２０】
Ｓ６０３において、ＣＰＵ２０５は、通信回路２０４を制御して受信したキャリア信号に重畳された変調信号を受信したか否かを判断する。例えば、電子機器２００は、ＮＦＣ規格のＴｙｐｅＡのＳＥＮＳ＿ＲＥＱリクエスト、ＴｙｐｅＢのＳＥＮＳＢ＿ＲＥＱリクエスト、ＴｙｐｅＦのＳＥＮＳＦ＿ＲＥＱリクエスト等のリクエストを受信することになる。ＣＰＵ２０５は、いずれかのリクエストを受信したと判定した場合（Ｓ６０３のＹｅｓ）、Ｓ６０３からＳ６０４へ処理を進める。また、ＣＰＵ２０５は、リクエストを受信しなかったと判定した場合（Ｓ６０３のＮｏ）、Ｓ６０３にて本フローチャートの処理を終える。
【０１２１】
Ｓ６０４において、ＣＰＵ２０５は、ＴｙｐｅＡであれば応答としてＳＥＮＳ＿ＲＥＳ応答、ＴｙｐｅＢであれば応答としてＳＥＮＳＢ＿ＲＥＳ応答，ＴｙｐｅＦであれば応答としてＳＥＮＳＦ＿ＲＥＳ応答を、通信回路２０４を制御して負荷変調により返信する。そして、ＣＰＵ２０５は、Ｓ６０４からＳ６０５へ処理を進める。
【０１２２】
Ｓ６０５において、ＣＰＵ２０５は、通信回路２０４を制御して、給電装置１００との間でＮＦＣの通信確立処理を行う。ＮＦＣの通信確立処理はＮＦＣ規格に定義されている認証処理を行うものとする。その際、ＣＰＵ２０５は、ＲＡＭ２０７に保持されるＳ５０４で決定した通信モードと同一の通信モードを選択する。ＣＰＵ２０５は、ＮＦＣの通信確立処理を終えた後、Ｓ６０５からＳ６０６へ処理を進める。
【０１２３】
Ｓ６０６において、ＣＰＵ２０５は、通信回路２０４を制御して無線電力伝送の認証処理を行う。具体的には、ＣＰＵ２０５は、ＮＤＥＦで構成された無線電力伝送用に関する各種情報（無線電力伝送対応の有無、取り扱い可能な電力、バッテリレベル、バッテリ有無等）のやり取りを行う。ＣＰＵ２０５は、本処理を終えると、Ｓ６０６からＳ６０７へ処理を遷移させる。
【０１２４】
Ｓ６０７において、ＣＰＵ２０５は、通信回路２０４を制御して電力伝送の終了通知を受信したか否かを判断する。ＣＰＵ２０５は、電力伝送の終了通知を受信したと判断した場合（Ｓ６０７のＹｅｓ）、Ｓ６０７にて本フローチャートの処理を終了する。またＣＰＵ２０５は、電力伝送の終了通知を受信しなかったと判定した場合（Ｓ６０７のＮｏ）、Ｓ６０７からＳ６０８へ処理を進める。
【０１２５】
Ｓ６０８において、ＣＰＵ２０５は、電源制御部２０８、充電制御部２０９を制御して、給電装置１００からの出力される第２の電力を、アンテナ２０１、整合回路２０２、整流平滑回路２０３を介して受信し、電池２１０に充電を行う。ＣＰＵ２０５は、給電装置１００から出力される第２の電力が所定のレベルに落ちるまで電池２１０へ充電を継続する。ＣＰＵ２０５は、給電装置１００から出力される第２の電力が所定のレベルに落ちたことを判断して、Ｓ６０８からＳ６０９へ処理を進める。
【０１２６】
Ｓ６０９において、ＣＰＵ２０５は、充電制御部２１０を制御して電池２１０の電池が満充電になっているかどうかを、予め設定された閾値と比較することで判断する。ＣＰＵ２０５は、電池２１０の電池が満充電であると判断した場合には、Ｓ６０９にて、本フローチャートの処理を終える。また、ＣＰＵ２０５は、電池２１０の電池が満充電でないと判断した場合には、Ｓ６０９からＳ６０１へ処理を戻す。
【０１２７】
上記電子機器２００の処理において、電子機器２００がカードエミュレーションモードまたはピアモードのターゲットとして第１の電力であるキャリアを受信する構成で説明したが、キャリアを出力してリーダライタモードまたはピアモードのイニシエータとして動作しながら、受電処理を行うことも可能である。なお、リーダライタモードまたはピアモードのイニシエータとして動作する場合においても受電処理において同一のモードを選択することが可能となる。
【０１２８】
以上、本実施形態における処理により、第２の電力レベルである無線電力伝送を終えた後で、給電装置１００及び電子機器２００が共に電源がＯＮのままの状態で再度ＮＦＣの通信確立処理を行う際には、それぞれの装置のＲＡＭには無線電力伝送に係る情報が保持されているので、給電装置１００及び電子機器２００は同一の通信モードを継続することが可能になる。
【０１２９】
また、上記実施形態では、認証（又はネゴシエーション）を２回行う例を説明したが、それ以上の回数の認証を行う場合にも、それぞれの装置がＲＡＭに記憶した通信モードで通信を行えば良い。
【０１３０】
（他の実施形態）
本発明に係る給電装置１００は、本実施形態で説明した給電装置１００に限定されるものではない。また、本発明に係る電子機器２００も本実施形態で説明した電子機器２００に限定されるものではない。例えば、本発明に係る給電装置１００及び電子機器２００は、複数の装置から構成されるシステムにより実現することも可能である。
【０１３１】
また、本実施形態で説明した様々な処理及び機能は、コンピュータプログラムにより実現することも可能である。この場合、本発明に係るコンピュータプログラムは、コンピュータ（ＣＰＵ等を含む）で実行可能であり、本実施形態で説明した様々な機能を実現することになる。
【０１３２】
本発明に係るコンピュータプログラムは、コンピュータ上で稼動しているＯＳ（Ｏｐｅｒａｔｉｎｇ  Ｓｙｓｔｅｍ）などを利用して、第１の実施形態で説明した様々な処理及び機能を実現してもよいことは言うまでもない。
【０１３３】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【０１３４】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１３５】
１００…給電装置、１０１…発振器１０１、１０２…電力送信回路、１０３…整合回路、１０４…通信回路、１０５…ＣＰＵ、１０６…ＲＯＭ１０６、１０７…ＲＡＭ、１０８…１０８、１０９…タイマ、１１０…操作部１１０、１１１…変換部、１１２…表示部、１１３…異物検出回路、２００…電子機器
【図１】
2018143031.tif 000006
【図２】
2018143031.tif 000007
【図３】
2018143031.tif 000008
【図４】
2018143031.tif 000009
【図５】
2018143031.tif 000010
【図６】
2018143031.tif 000011